(57)【特許請求の範囲】
【請求項１】
マッサージを受ける人が着座する椅子と、当該椅子の前側に移動可能に配設され足裏へのマッサージ効果が得られるマッサージ部と、該マッサージ部を支持するエアーマッサージ部を備えたマッサージ装置において、エアーマッサージ部は一端部を上記椅子のベースに回動自在かつ略水平位置で位置を保持されるように軸支されており、また該エアーマッサージ部の他端側には足裏と接するマッサージ部の底体を椅子の座面より高い位置で椅子に座った人に対向させた状態とするように設けられており、また上記エアーマッサージ部は足裏をマッサージ部３１の底体に載せた状態の両足首を下と横から包むように支える形状で、外部より供給された空気で膨張、収縮自在であり、足首を空気圧でマッサージする仕組みを備えており、足裏のマッサージの際に上記エアーマッサージ部が足首を支え、かつ空気圧により足首からふくらはぎ下部にかけてもマッサージを行うことを特徴とするマッサージ装置。
【発明の詳細な説明】
【０００１】
【発明の属する技術分野】
本発明は、椅子に座った状態の人の脚、特にふくらはぎや足裏をマッサージするマッサージ装置に関する。
【０００２】
【従来の技術】
マッサージ装置として、従来、実開昭５４−１４０５９２号公報に開示されるものが有り、これを図１０に示す。この図１０は従来のマッサージ装置の概略構成説明図を示す。
【０００３】
図１０において従来のマッサージ装置１００は、椅子式マッサージ機１０３の座部１０３ａの先端にギヤとピンの係合・離脱を介して略垂直位置から略水平位置まで段階的に起伏可能に取付けられる一対の金具１０２と、当該金具１０２の先端に下端が回動可能に軸支される脚部マッサージ主体１０１と、当該脚部マッサージ主体１０１の前記金具１０２と接触する裏面側に複数個配設されるマグネット１０１ｂと、前記脚部マッサージ主体１０１の表裏両面に配設され、脚部マッサージ主体１０１内に組込まれているバイブレーションマッサージ装置（図示を省略）によって振動する振動子１０１ａと、脚部マッサージ主体１０１前面の上方部両側端に突設され、金具１０２に対してピンを支点として脚部マッサージ主体１０１を前方に倒した時支持脚となる弾性脚体１０１ｃとを備える構成である。
【０００４】
次に、前記構成に基づく従来のマッサージ装置１００のマッサージ動作を説明する。人が椅子式マッサージ機１０３に座り、ふくらはぎをマッサージする場合には、脚部マッサージ主体１０１が金具１０２にマグネット１０１ｂを重ね合せて吸着させた状態で、金具１０２を脚部マッサージ主体１０１ごと略垂直位置から適宜起して脚部マッサージ主体１０１の表面側の振動子１０１ａがふくらはぎに当るようにしてから（図１０中仮想線の位置）、バイブレーションマッサージ装置を作動させ、ふくらはぎにマッサージ効果を与える。一方、足裏をマッサージする場合には、マグネット１０１ｂの吸着力を解除して金具１０２から脚部マッサージ主体１０１を離反させて前方に倒し、弾性脚体１０１Ｃが床面に付いて支持した状態とする。脚部マッサージ主体１０１裏面側に足を載せ、バイブレーションマッサージ装置を作動させると、振動子１０１ａにより足裏にマッサージ効果が与えられる。この従来のマッサージ装置１００は、使用しない時は脚部マッサージ主体１０１を折畳んで座部１０３ａの下に収納でき、邪魔にならない。
【０００５】
上記したもの以外に、従来のマッサージ装置として、特公昭６３−５２９０２号公報に開示されるものがあり、これを図１１に示す。この図１１は従来の他のマッサージ装置の概略構成説明図を示す。
【０００６】
図１１において従来のマッサージ装置２００は、椅子式マッサージ機２０４とベルト２０５により連結され、脚部をマッサージする基台となる支持台２０３と、この支持台２０３の支軸に下端部が軸支されたアーム２０２と、このアーム２０２の上端部に固定された両面マッサージ器２０１と、この両面マッサージ器２０１が前記支軸を中心として自重により回動する２方向及び第１及び第２の所定位置に設けられた回動規制手段とを備え、前記第１の所定位置で前記両面マッサージ器２０１の一面が上向きの略水平となり且つ椅子式マッサージ機２０４の座面２０４ａの高さにほぼ等しい高さをとると共に、前記第２の所定位置で前記両面マッサージ器２０１の他面が上向きとなって前記第１の所定位置側にやや傾き、且つ前記第１の所定位置での高さよりも低い位置をとるように設定した構成である。
【０００７】
次に、前記した構成に基づく従来のマッサージ装置２００のマッサージ動作を説明する。人が椅子式マッサージ機２０４に背もたれ状態で座して、マッサージ装置２００のアーム２０２を起こして両面マッサージ器２０１を反転し第１の所定位置の高位置安定状態にすると（図１１中実線の位置）、椅子式マッサージ機２０４と両面マッサージ器２０１が接近し、且つ脚のふくらはぎを自然に両面マッサージ器２０１に載せるように設定することができ、脚のふくらはぎを両面マッサージ器２０１に載せて、簡単にふくらはぎのマッサージをすることができる。一方、マッサージ装置２００のアーム２０２を倒して両面マッサージ器２０１を第２の所定位置の低い傾斜状態に移動した状態では、両面マッサージ器２０１に足裏を載せると、両面マッサージ器２０１により足裏のマッサージを行うことができる。支持台２０３と椅子式マッサージ機２０４とはベルト２０５で連結されているので、互いにずれ動くことがなく、足を両面マッサージ器２０１に載せて脚を突張ることにより、足裏と背中をそれぞれマッサージ面に押付けることができ、両方のマッサージ効果を高めることができる。
【０００８】
このようにこの従来のマッサージ装置２００は、椅子式マッサージ機２０４と連結したため、背中を反らせてマッサージ効果を調整する他に、脚を突張ることにより背中のマッサージ効果を自己調整しながら高めることができるという効果がある。
【０００９】
【発明が解決しようとする課題】
以上のように構成されていた従来のマッサージ装置のいずれにおいても、足裏のマッサージが可能なものの、足裏のマッサージ時に足首のサポートがなく、足裏のマッサージが安定して行なえないという課題を有する。
【００１０】
本発明は前記課題を解消するためになされたもので、足裏への高いマッサージ効果を得られるマッサージ装置を提供することを目的とする。
【００１１】
【課題を解決するための手段】
本発明に係るマッサージ装置は、マッサージを受ける人が着座する椅子と、当該椅子の前側に移動可能に配設され足裏へのマッサージ効果が得られるマッサージ部と、該マッサージ部を支持するエアーマッサージ部を備えたマッサージ装置において、エアーマッサージ部は一端部を上記椅子のベースに回動自在かつ略水平位置で位置を保持されるように軸支されており、また該エアーマッサージ部の他端側には足裏と接するマッサージ部の底体を椅子の座面より高い位置で椅子に座った人に対向させた状態とするように設けられており、また上記エアーマッサージ部は足裏をマッサージ部３１の底体に載せた状態の両足首を下と横から包むように支える形状で、外部より供給された空気で膨張、収縮自在であり、足首を空気圧でマッサージする仕組みを備えており、足裏のマッサージの際に上記エアーマッサージ部が足首を支え、かつ空気圧により足首からふくらはぎ下部にかけてもマッサージを行うものである。このように本発明においては、足裏のマッサージの際に足を載せるマッサージ部を座面より高く上げると共にマッサージ面に所定の仰角を付けることにより、マッサージを受ける姿勢を椅子とマッサージ部との間で自然に足を踏ん張れる姿勢として安定化でき、マッサージを効率的に行えると共に、足を踏ん張ることで足裏および背中をより強くマッサージ面に押し付けることとなり、反作用によってマッサージ効果が向上し、加えて、足を上に上げることにより脚の血行が良くなり、マッサージの効果をより高められる。
【００１２】
また、両足首を下と横から包むように支える形状の部材は、足裏をマッサージする際に足首を支え、かつ足首からふくらはぎ下部にかけてマッサージを行うエアーマッサージ部であるようにすれば、姿勢が安定し、常時正しくマッサージ効果を与えられると共に、エアーマッサージ部で足首のホールド機能が増大するとともに足首やふくらはぎ下部にもマッサージ効果を与えることができ、マッサージできる範囲が大きく足の血行を良くしてマッサージ効果を向上できる。
【００１４】
【実施例】
（第１の実施の形態）
以下、第１の実施の形態に係るマッサージ装置を図１〜図３に基づいて説明する。この図１は本実施の形態に係るマッサージ装置のマッサージ部収納状態説明図、図２は本実施の形態に係るマッサージ装置のふくらはぎマッサージ状態説明図、図３は本実施の形態に係るマッサージ装置の足裏マッサージ状態説明図を示す。
【００１５】
前記各図に示すように本実施の形態に係るマッサージ装置１は、椅子５０の座部５１下から座面５１ａ前方まで伸縮するリンク部１３と、リンク部１３の先端に配設され、円弧形のストッパ溝１２ａが先端部に穿孔された支持部材１２と、ストッパ１１ｅを側面端部に突設し、このストッパ１１ｅを前記支持部材１２のストッパ溝１２ａに挿通しかつストッパ１１ｅがストッパ溝１２ａに沿って動くように支持部材１２の先端部に回動自在に軸着されるマッサージ部１１とを備える構成である。マッサージ部１１を支持部材１２に対し傾動させると、ストッパ１１ｅによりマッサージ部１１がストッパ溝１２ａに規制されて所定の角度に安定に起立して支持される仕組みである。
【００１６】
リンク部１３は、椅子５０の座部５１下に配設され、駆動装置１３ｆにより回動するリンク１３ａと、当該リンク１３ａの回動中心より上方かつ座面５１前寄りの位置に一端が回動自在に軸支されるリンク１３ｂと、一端がリンク１３ａの先端に回動自在に軸着され、かつ中間部が前記リンク１３ｂの中間部に回動自在にピン結合されるリンク１３ｃと、リンク１３ｂ及びリンク１３ｃに対し互いに相対する位置に回動自在にピン結合されて平行クランク機構を構成するリンク１３ｄ及びリンク１３ｅとを備える構成で、支持部材１２はリンク１３ｂと平行なリンク１３ｄ上に配設される。
【００１７】
マッサージ部１１は、支持部材１２に軸着される中空の防振枠体１１ａと、当該防振枠体１１ａの表側に防振ゴムを介して振動を伝えないように配設され、ふくらはぎが直接接する蓋体１１ｂと、当該蓋体１１ｂと連結し、前記防振枠体１１ａの裏側に防振ゴムを介して振動を伝えないように配設され、足裏が直接接する底体１１ｃと、前記蓋体１１ｂ及び底体１１ｃに挟まれて防振枠体１１ａ中空部分に配設され、蓋体１１ｂ及び底体１１ｃと連結して振動を伝える電動式の振動装置１１ｄとを備える構成である。この振動装置１１ｄを作動させると、一体化した蓋体１１ｂと底体１１ｃが防振枠体１１ａに対して振動し、蓋体１１ｂ及び底体１１ｃの各表面をマッサージに供することができる仕組みである。
【００１８】
次に、前記構成に基づく本実施の形態のマッサージ動作について説明する。椅子５０の座部５１下にリンク部１３を介して支持されるマッサージ部１１に対し、駆動装置１３ｆを作動させてリンク１３ａを上方に回転させ、リンク部１３を前方に伸ばしてマッサージ部１１を前方に押出す。マッサージ部１１を椅子５０の座面５１ａと略等しい高さ位置でその上面が前下がりに傾いた状態となるまで動かしたら、リンク部１３を動かないように固定する。この状態で人が椅子５０に座り、マッサージ部１１の上面をなす蓋体１１ｂに脚のふくらはぎを載せ、振動装置１１ｄを作動させると、ふくらはぎと接する蓋体１１ｂが振動し、ふくらはぎへのマッサージ効果が得られる。
【００１９】
一方、足裏のマッサージを行う場合には、前記の状態からリンク部１３の位置を保ったまま、マッサージ部１１を支持部材１２に対して前方に起し、所定角度に起立した状態にして、椅子５０の座面５１ａより高い位置でマッサージ部１１がその裏面を椅子５０に座った人に対向させた状態とする。マッサージ部１１の人に対向する裏面をなす底体１１ｃに足裏を載せ、振動装置１１ｄを作動させると、足裏と接する底体１１ｃが振動し、足裏へのマッサージ効果が得られる。マッサージ部１１の位置が座面５１ａより上にあるために、椅子５０とマッサージ部１１との間で脚を踏ん張ってマッサージ部１１に強く足裏を押付ける姿勢になり、足裏に高いマッサージ効果を与えることができる。
【００２０】
本実施の形態に係るマッサージ装置では、使用しない時はリンク部１３を縮めてマッサージ部１１を座面５１ａ下に完全に収納でき、場所を取らない。そして、足裏のマッサージにおいては、マッサージ部１１が座面５１ａより上にあり、かつ起立しているために、背中を椅子５０に押付けると共にマッサージ部１１へ自然に脚を踏ん張る姿勢となり、足裏を強く押付けてマッサージ効果を高めることができる。また、構造が簡単で、マッサージ部１１を両面使用でき、体への使用部位に合せて表面性状を変えてマッサージ効果を高めることが容易である。さらに、表裏両面を足裏マッサージとふくらはぎマッサージとに個別に使えるため、不潔感を除去できる。
【００２１】
（第２の実施の形態）
以下、第２の実施の形態に係るマッサージ装置を図４〜図６に基づいて説明する。この図４は本実施の形態に係るマッサージ装置のマッサージ部収納状態説明図、図５は本実施の形態に係るマッサージ装置のふくらはぎマッサージ状態説明図、図６は本実施の形態に係るマッサージ装置の足裏マッサージ状態説明図を示す。
【００２２】
前記各図に示すように、本実施の形態に係るマッサージ装置２は、椅子５０の座部５１先端両側に対向立設され、ピン溝２３ｂが穿孔され、当該ピン溝２３ｂにスプリング２３ｃにより付勢される可動なピン２３ａを配設した一対のベース２３と、一端部に切欠部２２ａが形成され、他端部に円弧形ストッパ溝２２ｂが穿孔され、前記一端部を前記ベース２３に回動自在かつ略水平位置で切欠部２２ａ及び前記ピン２３ａが係合して位置を保持されるように軸支される一対のアーム２２と、ストッパ２１ａを側面端部に突設し、このストッパ２１ａを前記アーム２２のストッパ溝２２ｂに挿通しかつストッパ２１ａがストッパ溝２２ｂに沿って動くようにアーム２２の他端部に回動自在に軸着されるマッサージ部２１とを備える構成である。このマッサージ部２１は前記第１の実施の形態と同様の構成である。
【００２３】
次に、前記構成に基づく本実施の形態のマッサージ動作について説明する。まず、折畳んで座部５１下に収納したアーム２２及びマッサージ部２１を座部５１先端のベース２３の軸支点を中心に上方に起す。マッサージ部２１を椅子の座面５１ａと略等しい高さでその上面が前下がりに傾いた状態となる位置まで動かしたら、アーム２２の切欠部２２ａとベース２３のピン２３ａとを係合させてアーム２２及びマッサージ部２１を動かないように固定する。この状態で人が椅子５０に座り、マッサージ部２１の上面をなす蓋体２１ｂに脚のふくらはぎを載せ、振動装置２１ｄを作動させると、ふくらはぎと接する蓋体２１ｂが振動し、ふくらはぎへのマッサージ効果が得られる。
【００２４】
一方、足裏のマッサージを行う場合には、前記の状態から切欠部２２ａとピン２３ａとの係合を保持したまま、マッサージ部２１をアーム２２に対して前方に起し、所定角度に起立した状態にして、椅子５０の座面５１ａより高い位置でマッサージ部２１がその裏面を椅子５０に座った人に対向させた状態とする。マッサージ部２１の人に対向する裏面をなす底体２１ｃに足裏を載せ、振動装置２１ｄを作動させると、足裏と接する底体２１ｃが振動し、足裏へのマッサージ効果が得られる。足裏のマッサージにおいては、マッサージ部２１が座面５１ａより上にあり、かつ起立しているために、人は背中を椅子５０に押付けると共に脚を踏ん張ってマッサージ部２１に強く足裏を押付ける姿勢になり、マッサージ部２１から足裏に高いマッサージ効果を与えることができる。
【００２５】
本実施の形態に係るマッサージ装置では、使用しない時はマッサージ部２１とアーム２２を折畳んで座部５１下に収納でき、場所を取らない。また、マッサージ部２１を両面使用でき、体への使用部位に合せて表面性状を変えてマッサージ効果を高めることが容易である。そして、表裏両面を足裏マッサージとふくらはぎマッサージとに個別に使えるため、不潔感を除去できる。さらに、構造が簡単で、製造コストを下げて安価にできる。
【００２６】
なお、前記実施の形態においては、ベース２３とアーム２２及びマッサージ部２１の組合わせのみでマッサージ対象の脚を支える構成としているが、一端をアームとマッサージ部の折畳み中心と同軸に回動自在に軸支され、他端を床面側へ向けて接地させる支持部を備え、この支持部に支えられた状態でマッサージ部をアームに対し回動自在に角度を調整する構成とすることもでき、マッサージの際にマッサージ部に過度の力が加わっても正しい位置からずらすことなくそのまま保持させることが可能で、耐久性を大きく向上させられる。
【００２７】
（第３の実施の形態）
以下、第３の実施の形態に係るマッサージ装置を図７〜図９に基づいて説明する。この図７は本実施の形態に係るマッサージ装置のふくらはぎマッサージ状態説明図、図８は本実施の形態に係るマッサージ装置の足裏マッサージ状態説明図、図９は本実施の形態に係るマッサージ装置のエアーマッサージ部の概略構成図を示す。
【００２８】
前記各図に示すように、本実施の形態に係るマッサージ装置３は、前記第２の実施の形態のマッサージ部２１を支持するアーム２２の代りに、足裏をマッサージする際に足首を支え、かつ足首からふくらはぎ下部にかけてマッサージを行うエアーマッサージ部３２を備える構成である。エアーマッサージ部３２のベース３３への取付け構造は前記第２の実施の形態の場合と同様である。また、マッサージ部３１は、前記第１及び第２の実施の形態の場合のように、エアーマッサージ部３２に軸着される中空の防振枠体１１ａの表裏両面に蓋体３１ｂと底体３１ｃを配設し、電動式の振動装置３１ｄを備えた構成であるが、前記第１及び第２の実施の形態の場合に比べて薄形に構成したものである。
【００２９】
エアーマッサージ部３２は、足裏のマッサージの際に足裏をマッサージ部３１に載せた状態の両足首を下と横から包むように支える形状で、一端部の両側に一対の切欠部３２ａを形成され、前記一端部をベース３３に回動自在かつ略水平位置で切欠部３２ａ及びピン３３ａが係合して位置を保持されるよう軸支されており、他端部に所定角度範囲で回動自在にマッサージ部３１を軸着される構成である。エアーマッサージ部３２は外部より供給された空気で膨張、収縮自在であり、足首を空気圧でマッサージする仕組みである。
【００３０】
次に、前記構成に基づく本実施の形態のマッサージ動作について説明する。まず、折畳んで座部５１下に収納したエアーマッサージ部３２及びマッサージ部３１を座部５１先端のベース３３の軸支点を中心に上方に起す。マッサージ部３１が椅子５０の座面５１ａと略等しい高さでその上面が前下がりに傾いた状態となる位置まで動かしたら、エアーマッサージ部３２の切欠部３２ａとベース３３のピン３３ａとを係合させてエアーマッサージ部３２及びマッサージ部３１を動かないように固定する。
【００３１】
この状態で人が椅子５０に座り、マッサージ部３１の上面をなす蓋体３１ｂに脚のふくらはぎを載せ、振動装置３１ｄを作動させると、ふくらはぎと接する蓋体３１ｂが振動し、ふくらはぎへのマッサージ効果が得られる。一方、足裏のマッサージを行う場合には、前記の状態から切欠部３２ａとピン３３ａとの係合を保持したまま、マッサージ部３１をエアーマッサージ部３２に対して前方に起し、所定角度に起立した状態にして、椅子５０の座面５１ａより高い位置でマッサージ部３１がその裏面を椅子５０に座った人に対向させた状態とする。マッサージ部３１の人に対向する裏面をなす底体３１ｃに足裏を載せると共に、エアーマッサージ部３２に足首を保持させ、振動装置３１ｄを作動させると、足裏と接する底体３１ｃが振動し、足裏へのマッサージ効果が得られる。
【００３２】
足裏のマッサージにおいては、マッサージ部３１が座面５１ａより上にあり、かつ起立していることで、人は背中を椅子５０に押付けると共に脚を踏ん張ってマッサージ部３１に強く足裏を押付ける姿勢になる上、エアーマッサージ部３２で足首を支えられて足裏の位置が変りにくいため、マッサージ部３１から足裏に高いマッサージ効果を与えることができる。この足裏のマッサージの際に、エアーマッサージ部３２においては、空気圧により足首からふくらはぎ下部にかけてもマッサージを行うことができ、足裏へのマッサージと合せてマッサージ効果を大きくできる。
【００３３】
本実施の形態に係るマッサージ装置３では、足裏へのマッサージにおいて足首を支えるので姿勢が安定し、常時正しくマッサージ効果を与えられる。また、足首やふくらはぎ下部にもマッサージ効果を与えることができ、マッサージできる範囲が大きく足の血行を良くしてマッサージ効果を向上させられ、効率よくマッサージが行える。
【００３４】
なお、前記実施の形態においては、エアーマッサージ部からの空気圧でマッサージを行う構成としているが、エアーマッサージ部に振動装置を内蔵させ、振動によりマッサージ効果を与えるなど、マッサージの方法としては他の方法を用いても構わない。
【００３５】
【発明の効果】
以上のように本発明においては、マッサージを受ける姿勢を椅子とマッサージ部との間で自然に足を踏ん張れる姿勢として安定化でき、マッサージを効率的に行えると共に、足を踏ん張ることで足裏および背中をより強くマッサージ面に押し付けることとなり、反作用によってマッサージ効果が向上し、加えて、足を上に上げることにより脚の血行が良くなり、マッサージの効果をより高められるという効果を奏する。また、本発明においては、足裏のマッサージの際にエアーマッサージ部で足首を支えることにより、姿勢が安定し、常時正しくマッサージ効果を与えられると共に、エアーマッサージ部で足首のホールド機能が増大するとともに足首やふくらはぎ下部にもマッサージ効果を与えることができ、マッサージできる範囲が大きく足の血行を良くしてマッサージ効果を向上させられ、効率よくマッサージが行えるという効果を有する。
【図面の簡単な説明】
【図１】第１の実施の形態に係るマッサージ装置のマッサージ部収納状態説明図である。
【図２】第１の実施の形態に係るマッサージ装置のふくらはぎマッサージ状態説明図である。
【図３】第１の実施の形態に係るマッサージ装置の足裏マッサージ状態説明図である。
【図４】第２の実施の形態に係るマッサージ装置のマッサージ部収納状態説明図である。
【図５】第２の実施の形態に係るマッサージ装置のふくらはぎマッサージ状態説明図である。
【図６】第２の実施の形態に係るマッサージ装置の足裏マッサージ状態説明図である。
【図７】第３の実施の形態に係るマッサージ装置のふくらはぎマッサージ状態説明図である。
【図８】第３の実施の形態に係るマッサージ装置の足裏マッサージ状態説明図である。
【図９】第３の実施の形態に係るマッサージ装置のエアーマッサージ部の概略構成図である。
【図１０】従来のマッサージ装置の概略構成説明図である。
【図１１】従来の他のマッサージ装置の概略構成説明図である。
【符号の説明】
１，２，３，１００，２００  マッサージ装置
１１，２１，３１        マッサージ部
１１ａ，２１ａ，３１ａ  防振枠体
１１ｂ，２１ｂ，３１ｂ  蓋体
１１ｃ，２１ｃ，３１ｃ  底体
１１ｄ，２１ｄ，３１ｄ  振動装置
１１ｅ，２１ｅ  ストッパ
１２    支持部材
１２ａ，２２ｂ  ストッパ溝
１３    リンク部
１３ａ，１３ｂ，１３ｃ，１３ｄ，１３ｅ  リンク
１３ｆ  駆動装置
２２    アーム
２２ａ，３２ａ  切欠部
２３，３３      ベース
２３ａ，３３ａ  ピン
２３ｂ，３３ｂ  ピン溝
２３ｃ，３３ｃ  スプリング
３２    エアーマッサージ部
５０    椅子
５１    座部
５１ａ  座面
１０１    脚部マッサージ主体
１０１ａ  振動子
１０１ｂ  マグネット
１０１ｃ  弾性脚体
１０２    金具
１０３    椅子式マッサージ機
１０３ａ  座部
２０１    両面マッサージ器
２０２    アーム
２０３    支持台
２０４    椅子式マッサージ機
２０４ａ  座面
２０５    ベルト
【図１】
0003970956.tif 000002
【図２】
0003970956.tif 000003
【図３】
0003970956.tif 000004
【図４】
0003970956.tif 000005
【図５】
0003970956.tif 000006
【図６】
0003970956.tif 000007
【図７】
0003970956.tif 000008
【図８】
0003970956.tif 000009
【図９】
0003970956.tif 000010
【図１０】
0003970956.tif 000011
【図１１】
0003970956.tif 000012